(57)【要約】【課題】容器内部からの熱漏洩を大幅に低減し、省エネ効果の高いジャーポットを提供することを目的とする。【解決手段】水などの液体の被収容物２を収容する有底状の容器１と、被収容物２を加熱及び／または保温する電気ヒータ８と、前記容器１の上方開口部を覆う蓋体４と、蓋体４に内蔵された蓋断熱材５と、容器１の外周部に位置する筒状のボディー断熱材３とを備え、ボディー断熱材３の上端部３ａを蓋体４による容器１の閉成部位７よりも上方に配設した。これにより、容器１の上方開口部から閉成部位７を経由した熱漏洩が大幅に低減されることとなる。【選択図】図１
2006217996.tif 000002
【特許請求の範囲】
【請求項１】
液体の被収容物を収容する有底筒状の容器と、前記被収容物を加熱及び／または保温する加熱手段と、前記容器の上方開口部を覆う蓋体と、前記蓋体に内蔵された蓋断熱材と、前記容器の外周部に位置する筒状のボディー断熱材とを備え、前記ボディー断熱材の上端部は前記蓋体による前記容器の閉成部位よりも上方に配設することを特徴とするジャーポット。
【請求項２】
前記蓋断熱材の底部には容器の閉成部位の内側にオーバーラップ状態で位置する突出部を形成したことを特徴とする請求項１に記載のジャーポット。
【請求項３】
前記蓋断熱材に真空断熱材を内蔵し、別部材の突出部を設けた請求項２記載のジャーポット。
【請求項４】
液体の被収容物を収容する有底筒状の容器と、前記被収容物を加熱及び／または保温する加熱手段と、前記容器の上方開口部を覆う蓋体と、前記蓋体に内蔵された蓋断熱材と、前記容器の外周部に位置する筒状のボディー断熱材とを備え、前記蓋体断熱材の外周端部に垂下部を設け、前記垂下部の下端部と前記ボディー断熱材の上端部はオーバーラップするように設定したことを特徴とするジャーポット。
【請求項５】
前記垂下部は真空断熱材であることを特徴とする請求項４記載のジャーポット。
【請求項６】
前記蓋体による容器の上方開口部閉成部位より上位にボディー断熱材の上端部を位置させたことを特徴とする請求項４記載のジャーポット。
【請求項７】
前記蓋断熱材とボディー断熱材との少なくとも一方を真空断熱材としたことを特徴とする請求項１〜６いずれか１項記載のジャーポット。
【発明の詳細な説明】
【技術分野】
【０００１】
本発明は断熱材を保温用に用いたジャーポットに関するものである。
【背景技術】
【０００２】
従来、この種のジャーポットにおいては、容器の外側などに断熱材を配設して、容器から漏洩する熱量を抑え、保温時の電力消費を低減するものが知られている。
【０００３】
図９は従来のジャーポットを示し、容器１０１内に収納した温水などの液体の熱が逃げないように、ボディー断熱材１０２が前記容器１０１の外周部に配設され、また前記容器１０１の上方開口部からの熱漏洩を防ぐために蓋１０３には蓋断熱材１０４が配設されている。
【０００４】
そして、蓋１０３が容器１０１の上方開口部を閉塞している状態で、前記蓋１０３の下部はその上方開口部の所定上方に位置していた。
【０００５】
熱漏洩抑止のためには、蓋１０３と容器１０１の上方開口部との間の空間を可及的に小さくすることが望ましい。そこで従来は、蓋１０３の外周端下部にパッキング部１０５を装着して容器１０１の上方開口部と接触させ、熱漏洩を低減させていた。
【０００６】
また、図１０に示すように、ボディー断熱材１０２の外方に接して上部封止部材１０６を設け、前記ボディー断熱材１０２の上端部外周部の隙間１０７を防いでいた（例えば、特許文献１参照）。
【特許文献１】特開平１１−２９０２１０号公報
【発明の開示】
【発明が解決しようとする課題】
【０００７】
しかしながら、上部封止部材１０６を設けて隙間１０７を防いでも熱漏洩の抑止は不十分で、したがって、従来のジャーポットでは保温時の電力消費が大きく省エネ面で今一歩の改善が必要であった。
【０００８】
本発明は、このような従来の課題を解決するものであり、容器からの熱漏洩を大幅に低減し、省エネ効果の高いジャーポットを提供することを目的とする。
【課題を解決するための手段】
【０００９】
本発明は、上記目的を達成するために、液体の被収容物を収容する有底筒状の容器と、前記被収容物を加熱及び／または保温する加熱手段と、前記容器の上方開口部を覆う蓋体と、前記蓋体に内蔵された蓋断熱材と、前記容器の外周部に位置する筒状のボディー断熱材とを備え、前記ボディー断熱材の上端部は前記蓋体による前記容器の閉成部位よりも上方に配設したものである。
【発明の効果】
【００１０】
本発明によれば、容器の内部からの熱漏洩を大幅に低減し、省エネ効果の高いジャーポットを提供することができるものである。
【発明を実施するための最良の形態】
【００１１】
第１の発明は、液体の被収容物を収容する有底筒状の容器と、前記被収容物を加熱及び／または保温する加熱手段と、前記容器の上方開口部を覆う蓋体と、前記蓋体に内蔵された蓋断熱材と、前記容器の外周部に位置する筒状のボディー断熱材とを備え、前記ボディー断熱材の上端部は蓋体による前記容器の閉成部位よりも上方に配設するようにしたものである。
【００１２】
このように、ボディー断熱材の上端部が閉成部位よりも上方に配設することによって、前記閉成部位の外側にボディー断熱材が位置することとなり、熱漏洩を大幅に低減させることができる。
【００１３】
第２の発明は、特に、第１の発明において、蓋断熱材の底部に蓋体による容器の閉成部位の内側にオーバーラップ状態で位置する突出部を形成するとともに、ボディー断熱材の上端部は前記閉成部位より上方に配設したものである。
【００１４】
前記突出部は閉成部位とオーバーラップする状態に位置することによって、容器と蓋断熱材の間の隙間を縮小させることができ、前記容器内の熱の漏洩経路を縮小させる。さらに、前記ボディー断熱材の上端部を閉成部位より上方に配設することによって、容器の上方開口部から閉成部位への熱漏洩を大幅に低減させることができる。
【００１５】
第３の発明は、特に、第２の発明において、蓋断熱材に真空断熱材を内蔵し、別部材の突出部を設けたもので、蓋体の断熱性能がより高くなり、閉成部位からの熱漏洩をより一層低減させることができる。
【００１６】
第４の発明は、液体の被収容物を収容する有底筒状の容器と、前記被収容物を加熱及び／または保温する加熱手段と、前記容器の上方開口部を覆う蓋体と、前記蓋体に内蔵された蓋断熱材と、前記容器の外周部に位置する筒状のボディー断熱材とを備え、前記蓋体断熱材の外周端部に垂下部を設け、前記垂下部の下端部と前記ボディー断熱材の上端部はオーバーラップするように設定したものである。これにより、容器がボディー断熱材と蓋断熱材および垂下部によって覆われることとなり、容器の上方開口部からの熱漏洩がさらに大幅に低減される。
【００１７】
第５の発明は、特に、第４の発明において、垂下部を真空断熱材として熱漏洩をより一層低減したものである。
【００１８】
第６の発明は、特に、第４の発明において、蓋体による容器の上方開口部閉成部位より上位にボディー断熱材の上端部を位置させたもので、容器からの熱漏洩をさらに大幅に低減させたものである。
【００１９】
第７発明は、特に、第１〜６の発明において蓋断熱材とボディー断熱材との少なくとも一方は真空断熱材としたもので、ジャーポットの保温特性を一段と高めたものである。
【００２０】
（実施の形態１）
図１、２において、ジャーポットは水などの液体の被収容物２を収容する有底状の容器１と、前記被収容物２を加熱及び／または保温する加熱手段である電気ヒータ８と、前記容器１の上方開口部を覆う蓋体４と、この蓋体４に内蔵された蓋断熱材５と、容器１の外周部に位置する筒状のボディー断熱材３を備えている。
【００２１】
前記蓋体４の下部の外周端部にはパッキング部６などの閉成手段を備えている。そして、蓋体４が容器１を覆う際、前記パッキング部６が容器１と密接してその上方開放部を閉成する。前記パッキング部６と容器１との当接位置が閉成部位７を構成する。
【００２２】
前記ボディー断熱材３は前記容器１の外周部に位置するとともに、その上端部３ａは前記閉成部位７よりも上方に位置している。
【００２３】
そのため、前記容器１の内部の上方開口部からの熱漏洩を大幅に低減させることができ、省エネ効果の高いジャーポットを得ることができる。
【００２４】
前記ボディー断熱材３および蓋断熱材５は発泡ポリプロピレンなどを用いるが、その他に断熱性能の高い真空断熱材を用いることも可能である。
【００２５】
真空断熱材はシリカやパーライトなどの無機粉末あるいはグラスウールなどの無機繊維、硬質ウレタンフォーム、発泡フェノール樹脂などを芯材とし、この芯材を樹脂フィルム、樹脂・金属箔ラミネートフィルム（例えばナイロン・ＰＥＴ・アルミ箔・無延伸ポリプロピレン）の外袋で覆うような構成とする。
【００２６】
加熱及び／または保温する電気ヒータ８は制御部９で制御されるようにしてある。即ち容器１内の被収容物２の温度は温度センサー１０で検知されて制御部９に入力されるようにしてある。
【００２７】
（実施の形態２）
図３において、蓋断熱材５より下方へ突出部５ａが形成してある。この突出部５ａは蓋体４と容器１の閉成部位７の下側まで延びている。
【００２８】
上記の構成において、前記蓋断熱材５の突出部５ａは容器１と前記蓋断熱材５の間の隙間を縮小させ、容器１内の熱漏洩経路を縮小する。
【００２９】
さらに、前記ボディー断熱材３の上端部３ａを前記閉成部位７より上方に配設されることによって、前記容器１の上方開口部から前記閉成部位７への熱漏洩を大幅に低減させることができ、省エネ効果のさらに高いジャーポットを得ることができる。
【００３０】
なお、実施の形態１と同一構成部分については同一符号を付し、作用を含む具体的説明は実施の形態１のものを援用する。
【００３１】
なお、実施の形態２も実施の形態１と同様に前記ボディー断熱材３及び／また前記蓋断熱材５を断熱性能の高い真空断熱材を用いることも可能である。前記真空断熱材を用いる場合、前記容器１の上方開口部から前記閉成部位７への熱漏洩をより低減させることができ、ジャーポットの省エネ効果をさらに高められる。実施の形態２に用いられる前記真空断熱材は実施の形態１と同様なものであっても構わない。
【００３２】
（実施の形態３）
図４は蓋体の中に真空断熱材間に介在させて別体の突出部を設けたジャーポットにおいて、蓋と容器の閉成部位を拡大した断面概略図である。なお、実施の形態１、２と同一構成部分については同一符号を付し、作用を含む具体的説明は実施の形態１、２のものを援用する。
【００３３】
図４において、は蓋体４に蓋断熱材５を内蔵していると同時に断熱性の非常に高い真空断熱材５１をも内蔵し、別体の突出部５ａをも設けている。
【００３４】
上記の構成において、真空断熱材５１が用いられるため蓋体４による断熱効果をより高めることができ、容器１の上方開口部からの熱漏洩をさらに低減させることができる。したがって、省エネ効果のより高いジャーポットを得る事ができる。
【００３５】
なお、実施の形態３において、蓋断熱材５を含め全体を真空断熱材で形成してもよく、併せてボディー断熱材３を真空断熱材構成とすることも考えられる。
【００３６】
（実施の形態４）
図５は実施の形態４のジャーポットを示すものである。なお、実施の形態１〜３と同一構成部分については同一符号を付し、作用を含む具体的説明は実施の形態１〜３のものを援用する。
【００３７】
図５において、蓋体４の中に蓋断熱材５２を内蔵し、この蓋断熱材５２の外周端部からは垂下部５３を設け、その下端部５３ａとボディー断熱材３の上端部３ａを閉成部位７の外側でオーバーラップさせたものである。即ち、前記垂下部５３の下端部５３ａの位置は前記ボディー断熱材３の上端部３ａよりも下方にある。
【００３８】
上記の構成において、容器１は外側からボディー断熱材３と蓋断熱材５２および垂下部５３によって覆われることとなる。
【００３９】
そのため、容器１の上方開口部からの熱漏洩の経路が遮断されることとなり、閉成部位７を介した熱漏洩をさらに大幅に低減されることができ、省エネ効果のさらに高いジャーポットを得ることができる。
【００４０】
なお、実施の形態４でもボディー断熱材３及び／また前記蓋断熱材５２を断熱性の高い真空断熱材を用いることも可能である。真空断熱材を用いる場合、前記容器１の上方開口部からの熱漏洩をさらに大幅に低減させることができ、ジャーポットの省エネ効果をより高めることができる。
【００４１】
（実施の形態５）
図６に示す実施の形態５は、前記実施の形態４の垂下部５３に代え別体の真空断熱材５４を設けたものである。この真空断熱材５４は蓋断熱材５２の外周端部に配設され、その下端部５４ａは閉成部位７の外側に位置するとともに、ボディー断熱材３の上端部３ａとオーバーラップするように配設されている。
【００４２】
なお、実施の形態１〜４と同一構成部分については同一符号を付し、作用を含む具体的説明は実施の形態１〜４のものを援用する。
【００４３】
前記真空断熱材５４を用いることによって、前記蓋体４による断熱効果をより高めることができ、前記容器１の上方開口部からの熱漏洩をさらに低減させることができる。したがって、省エネ効果のより高いジャーポットを得る事ができる。
【００４４】
（実施の形態６）
図７は実施の形態６のジャーポットを示すものである。なお、実施の形態１〜５と同一構成部分については同一符号を付し、作用を含む具体的説明は実施の形態１〜５のものを援用する。
【００４５】
本実施の形態６のジャーポットは、蓋体４に内設けた蓋断熱材５５の外周端部から垂下部５６を設け、この垂下部５６の下端部５６ａを閉成部位７より下に配設するとともに、ボディー断熱材３の上端部３ａを閉成部位７の上方に配設したものである。
【００４６】
つまり、垂下部５６の下端部５６ａとボディー断熱材３の上端部３ａとは閉成部位７を基点に上下方向にオーバーラップするように設定されているため、閉成部位７の外側がボディー断熱材３および垂下部５６の２重の断熱材が配設されることとなり、そのため容器１の上方開口部からの熱漏洩の経路を２重に遮断することができ、容器１の上方開口部からの熱漏洩をさらに大幅に低減させることができ、省エネ効果のさらに高いジャーポットを得ることができる。
【００４７】
（実施の形態７）
図８は実施の形態７のジャーポットを示すものである。なお、実施の形態１〜６と同一構成部分については同一符号を付し、作用を含む具体的説明は実施の形態１〜６のものを援用する。蓋体４に蓋断熱材５５を内蔵していると同時に垂下部の役割を果たす断熱性の非常にいい真空断熱材５７をも内蔵し、前記真空断熱材５７は蓋断熱材５５の外周端部に配設される。
【００４８】
前記真空断熱材５７の下端部５７ａが閉成部位７の外側でしかもそれより下方に配設されるとともに、ボディー断熱材３の上端部３ａが閉成部位７の上方に配設される。
【００４９】
前記真空断熱材５７を用いることによって、蓋体４による断熱効果をより高めることができ、前記容器１の上方開口部からの熱漏洩をさらに低減させることができる。したがって、省エネ効果のより高いジャーポットを得る事ができる。
【産業上の利用可能性】
【００５０】
本発明にかかるジャーポットは、断熱特性が非常に高く、他の熱機器への転用が可能である。
【図面の簡単な説明】
【００５１】
【図１】本発明の実施の形態１におけるジャーポットの断面図
【図２】同ジャーポットの要部拡大断面図
【図３】本発明の実施の形態２におけるジャーポットの要部拡大断面図
【図４】本発明の実施の形態３におけるジャーポットの要部拡大断面図
【図５】本発明の実施の形態４におけるジャーポットの要部拡大断面図
【図６】本発明の実施の形態５におけるジャーポットの要部拡大断面図
【図７】本発明の実施の形態６におけるジャーポットの要部拡大断面図
【図８】本発明の実施の形態７におけるジャーポットの要部拡大断面図
【図９】従来のジャーポットの断面図
【図１０】同要部拡大断面図
【符号の説明】
【００５２】
１  容器
２  被収容物
３  ボディー断熱材
３ａ  ボディー断熱材の上端部
４  蓋体
５、５２、５５  蓋断熱材
５ａ  蓋断熱材の底部の突出部
６  パッキング部
７  閉成部位
５１、５４、５７  真空断熱材
５３、５６  垂下部
【図１】
2006217996.tif 000003
【図２】
2006217996.tif 000004
【図３】
2006217996.tif 000005
【図４】
2006217996.tif 000006
【図５】
2006217996.tif 000007
【図６】
2006217996.tif 000008
【図７】
2006217996.tif 000009
【図８】
2006217996.tif 000010
【図９】
2006217996.tif 000011
【図１０】
2006217996.tif 000012